(57)【要約】      （修正有）【課題】視聴者のプライバシーを確保しつつ、映像に対する没入感を高めることができる映像表示装置を提供する。【解決手段】映像表示装置１は、遮蔽体３と、電子機器類４とを有し、横たわった視聴者Ｕに対して映像を提示する。遮蔽体３は、少なくとも視聴者Ｕの頭部を覆い隠すための内部空間を有すると共に、出入口３ａを有する。出入口３ａは、遮蔽体３の内部空間に視聴者Ｕの頭部を挿入するために設けられており、視聴者Ｕの頭部の横断面よりも大きな開口形状を有する。電子機器類４は、遮蔽体の内部空間に設けられており、視聴者Ｕに映像を提示するための映像表示部を有する。【選択図】図１
2019205146.tif 000002
【特許請求の範囲】
【請求項１】
横たわった視聴者に対して映像を提示する映像表示装置において、
少なくとも視聴者の頭部を覆い隠すための内部空間を有する遮蔽体と、
前記遮蔽体の内部空間に設けられた映像表示部と
を有することを特徴とする映像表示装置。
【請求項２】
前記遮蔽体に設けられて、前記頭部の断面よりも大きく、遮蔽体３の内部空間の断面よりも小さい開口形状を有し、かつ、前記内部空間に前記頭部を挿入するための出入口をさらに有することを特徴とする請求項１に記載された映像表示装置。
【請求項３】
前記遮蔽体に設けられた防音材をさらに有することを特徴とする請求項１または２に記載された映像表示装置。
【請求項４】
、
前記映像表示部の表示面は、前記頭部に向かって湾曲していることを特徴とする請求項１から３のいずれかに記載された映像表示装置。
【請求項５】
前記頭部に対する前記映像表示部の表示面の相対的な位置を調整可能な位置調整機構をさらに有することを特徴とする請求項１から４のいずれかに記載された映像表示装置。
【請求項６】
前記遮蔽体の内部空間に設けられ、視聴者に音声を提示するスピーカ、および、前記遮蔽体の内部空間に設けられ、視聴者の発声音を集音するマイクの少なくとも一つをさらに有することを特徴とする請求項１から５のいずれかに記載された映像表示装置。
【請求項７】
前記遮蔽体の内部空間に設けられ、視聴者以外の人の立体映像を表示する立体像表示部と、前記遮蔽体の内部空間に設けられ、視聴者の立体映像を撮影するカメラとをさらに有することを特徴とする請求項１から６のいずれかに記載された映像表示装置。
【請求項８】
前記立体像表示部は、双方向通信の相手方の顔を少なくとも含む立体映像を表示し、
前記カメラは、双方向通信の相手方に自己の顔を少なくとも含む立体映像を送信するために、当該自己の立体映像を撮影することを特徴とする請求項７に記載された映像表示装置。
【発明の詳細な説明】
【技術分野】
【０００１】
本発明は、横たわった視聴者に対して映像を提示する映像表示装置に関する。
【背景技術】
【０００２】
従来、視聴者に対して映像を提示する映像表示装置が知られている。例えば、特許文献１には、寝室の天井に設置されたシルバースクリーンに立体映像を表示し、仰向けに横たわった観察者に対して立体映像を提示する映像表示システムが開示されている。この映像表示システムでは、映像出力手段として、左眼用および右目用の映像を投影する一対のプロジェクタが用いられ、仰向けに横たわった観察者がシルバースクリーンを見たときに、実際のシルバースクリーンよりも手前または奥に認識されるような仮想立体スクリーンが表示される。また、特許文献２には、横たわった視聴者に対するものではないが、入院患者のように自由に活動できない人に疑似体験を提供するヘッドマウントディスプレイ型の映像表示装置が開示されている。
【先行技術文献】
【特許文献】
【０００３】
【特許文献１】特開２０１１−１５１６７６号公報
【特許文献２】特開２００４−１２９１８０号公報
【発明の概要】
【発明が解決しようとする課題】
【０００４】
ところで、病院の相部屋に入院する場合や、災害時に避難所に寝泊まりする場合のように、個人の占有空間が限られている環境では、自己の行動が衆目に晒されることが多い。このような状況で映像を個人的に視聴する場合、視聴者本人の表情が衆目に晒されることになるので、プライバシーを確保できないばかりか、映像に対する十分な没入感を得ることができない。
【０００５】
本発明は、本発明は、かかる事情に鑑みてなされたものであり、その目的は、視聴者のプライバシーを確保しつつ、映像に対する没入感を高めることである。
【課題を解決するための手段】
【０００６】
かかる課題を解決すべく、本発明は、遮蔽体と、映像表示部とを有し、横たわった視聴者に対して映像を提示する映像表示装置を提供する。遮蔽体は、少なくとも視聴者の頭部を覆い隠すための内部空間を有する。映像表示部は、遮蔽体の内部空間に設けられている。
【０００７】
ここで、本発明において、遮蔽体の内部空間に頭部を挿入するための出入口を遮蔽体に設けてもよい。この出入口の開口形状は、視聴者の頭部の断面よりも大きく、遮蔽体３の内部空間の断面よりも小さい。また、遮蔽体に防音材を設けてもよい。また、映像表示部の表示面は、頭部に向かって湾曲していることが好ましい。さらに、頭部に対する映像表示部の表示面の相対的な位置を調整可能な位置調整機構を設けてもよい。
【０００８】
また、本発明において、スピーカおよびマイクの少なくとも一つを設けてもよい。スピーカは、遮蔽体の内部空間に設けられ、視聴者に音声を提示する。マイクは、遮蔽体の内部空間に設けられ、視聴者の発声音を集音する。
【０００９】
本発明において、立体像表示部と、カメラとを設けてもよい。立体像表示部は、遮蔽体の内部空間に設けられ、視聴者以外の人の立体映像を表示する。カメラは、遮蔽体の内部空間に設けられ、視聴者の立体映像を撮影する。この場合、立体像表示部は、視聴者の横方向近傍に配置されており、双方向通信の相手方の顔を少なくとも含む立体映像を表示すると共に、カメラは、双方向通信の相手方に自己の顔を少なくとも含む立体映像を送信するために、自己の立体映像を撮影してもよい。
【発明の効果】
【００１０】
本発明によれば、横たわった視聴者の顔が遮蔽体によって覆われているため、視聴者は、自己の表情が衆目を晒されることを気にすることなく、映像に集中できる。したがって、個人の占有空間が限られた状況でも、視聴者のプライバシーを確保できると共に、映像に対する没入感を高めることができる。
【図面の簡単な説明】
【００１１】
【図１】映像表示装置の使用例を示す外観斜視図
【図２】遮蔽体の上面図
【図３】遮蔽体の正面図
【図４】遮蔽体の側面図
【図５】遮蔽体内における電子機器類の配置図
【図６】映像表示装置のシステム構成図
【図７】添い寝モードの説明図
【発明を実施するための形態】
【００１２】
図１は、本実施形態に係る映像表示装置の使用例を示す外観斜視図である。この映像表示装置１は、例えば、病院のベッドや避難所の床面といった平坦な設置面２上に常時またはその都度設置され、この設置面２上に横たわった視聴者Ｕに対して映像を提示する。映像表示装置１は遮蔽体３を備えており、視聴者の頭部は遮蔽体３によって覆い隠される。顔が覆い隠された視聴者Ｕは、遮蔽体３の内側に設置された電子機器類４を介して、映像や音声などを視聴する。遮蔽体３への視聴者Ｕの頭部の出し入れは、遮蔽体３の側面に設けられた出入口３ａを介して行われる。
【００１３】
図２は遮蔽体３の上面図であり、図３はその正面図、図４はその側面図である。遮蔽体３は、略ドーム状、すなわち、ドーム形状を部分的に鉛直方向に切り落とした外観形状を有しており、その内部には、視聴者Ｕの頭部を収容するための内部空間が設けられている。ただし、遮蔽体３の外観形状は、略ドーム状に限るものではなく、略半球状，略立方体状や略アーチ状を含めて、視聴者Ｕの頭部を収容可能な内部空間を確保できる限り、どのような外観形状であってもよい。また、遮蔽体３は、少なくとも視聴者Ｕの頭部を覆い隠すための内部空間を有していれば足りるので、視聴者Ｕの頭部のみならず胸部や腰部まで覆うようなものや、視聴者Ｕの全身を覆う開閉式の箱状体を遮蔽体３として用いてもよい。
【００１４】
遮蔽体３の材質は、視聴者Ｕの表情が外部から看取できないようなものであれば、どのような材質を用いてもよいが、一例として、軽量で成形性にも優れた合成樹脂製とすることが好ましい。遮光ドーム３を用いる意義は、一義的には、視聴者Ｕの表情が外部から看取できないようにすることにあるが、良好な視聴環境を実現するという観点も併せて考慮した場合、遮光ドーム３内は暗室であることが好ましく、そのためには遮光性を有する材質を用いることが望ましい。
【００１５】
遮蔽体３の正面には、遮蔽体３の内部空間に視聴者Ｕの頭部を挿入するための出入口３ａが、遮蔽体の内外を連通するように設けられている。出入口３ａを設けることで、視聴者Ｕは映像表示装置１を持ち上げることなく、遮蔽体３内に頭部を簡単に入れることができる。これは、特に、映像表示装置１が重く、持ち上げるのが困難な場合において有利である。また、出入口３ａの開口形状は、これを正面から見た場合（図３の正面視）、視聴者Ｕ（本映像表示装置１の使用が想定される者）の頭部の断面よりも大きく、かつ、遮蔽体３の内部空間の断面よりも小さく設定されている。視聴者Ｕの頭部を出し入れが可能な範囲内で開口形状を極力狭くすることで、視聴者Ｕの視認範囲がより広く遮蔽されるため、視聴者Ｕの没入感をより高めることができる。
【００１６】
本実施形態において、遮蔽体３のサイズは、一例として、幅９００ｍｍ、高さ６００ｍｍ、奥行き６００ｍｍに設定されており、出入口３ａのサイズは、一例として、幅６００ｍｍ、高さ３００ｍｍに設定されている。
【００１７】
また、図２に示したように、遮蔽体３には防音材３ｂが設けられている。具体的には、防音材３ｂは、遮蔽体３の内面における略全体（出入口３ａ等の開口部を除く。）に貼り付けられており、遮蔽体３内の音声が外部に漏れ出ることを抑制し、あるいは、遮蔽体３外の騒音が内部に漏れ入ることを抑制する。防音材３ｂとしては、石膏ボードや合板などの遮音材、グラスウールやミネソックスなどの吸音材、ゴム製の防振材などが知られており、いずれを用いてもよいが、遮光ドーム３の曲面に追従可能なものを用いることが好ましい。
【００１８】
図５は、遮蔽体３内における電子機器類４の配置図である。本実施形態では、遮蔽体３の内部空間に設置される電子機器類４として、映像表示部４ａと、スピーカ４ｂと、マイク４ｃと、立体像表示部４ｄと、カメラ４ｅとが存在する。ただし、映像表示部４ａは、視聴者Ｕに映像を提示するという機能を実現する上で必須であるものの、スピーカ４ｂはヘッドフォンで代替可能なので省略してもよい。また、マイク４ｃ、立体像表示部４ｄおよびカメラ４ｅについては、映像表示装置１に実装すべき機能に応じて、必要なものを設置すれば足りる。
【００１９】
映像表示部４ａは、横たわった視聴者Ｕと対向する位置に配置されており、視聴者Ｕに対して映像を提示する。映像表示部４ａとしては、液晶ディスプレイや有機ＥＬディスプレイなどの自発光型ディスプレイや、プロジェクタを用いることができる。特に、有機ＥＬモニタを用いる場合、その特性を活かして、表示面を視聴者Ｕの頭部に向かって湾曲させることが好ましい。これは、遮蔽体３のような限られた空間内でも表示面のワイド化を図れる点、および、視聴者Ｕの視点から等距離に表示面を設定できる点で有利である。
【００２０】
映像表示部４ａは、基本的に、仰臥位（仰向けに横たわった状態）の視聴者Ｕの頭部に対して正対する位置に配置されていると共に、表示面までの距離も適切に設定されている。なお、アーム機構やスライド機構といった位置調整機構を設けて、視聴者Ｕの頭部に対する映像表示部４ａの表示面の相対的な位置を調整できるようにしてもよい。これにより、側臥位（側方を向いて横たわった状態）を含めて、視聴者Ｕの顔がどこを向いていても、映像表示部４ａの表示面の位置を調整できる。
【００２１】
一対のスピーカ４ｂは、横たわった視聴者Ｕの左右の耳の近傍に位置するように配置されており、視聴者Ｕに対して音声を提示する。それぞれのスピーカ４ｂは、遮蔽体３外への音漏れを抑制すべく、右側のスピーカ４ｂは右耳、左側のスピーカ４ｂは左耳といった如く、視聴者Ｕの耳を向いた指向性を有することが好ましい。
【００２２】
マイク４ｃは、横たわった視聴者Ｕより発せられた発声音を集音する。立体映像部４ｄは、双方向通信時に用いられ、視聴者Ｕの相手方（通信相手）立体映像（３Ｄホログラム）を表示する。立体像表示部４ｄの種類は、特に限定するものではないが、図５に示すように、アクリル板などの透明板と映写部とを有するペッパーズ・ゴースト式の立体像装置を用いることができる。カメラ４ｅは、双方向通信時に用いられ、視聴者Ｕの立体映像（３Ｄホログラム）を撮影する。
【００２３】
図６は、映像表示装置１のシステム構成図である。映像表示部４ａ、スピーカ４ｂ、マイク４ｃ、立体像表示部４ｄおよびカメラ４ｅは、入出力インターフェース４ｆを介して外部のシステムとの間でデータの授受を行う。具体的には、映像表示部４ａは、外部より入力された映像信号に基づいて映像を表示する。スピーカ４ｂは、外部より入力された音声信号に基づいて音声を出力する。マイク４ｃは、自己が集音した音声信号を外部に出力する。立体像表示部４ｄは、外部より入力された立体像信号に基づき立体映像を表示する。カメラ４ｅは、自己が撮影した立体像信号を外部に出力する。
【００２４】
本実施形態では、映像表示装置１が行う双方向通信の一例として、図７に示すような「添い寝モード」が実装されている。なお、図７において、図５に示した電子機器４ａ〜４ｅのうち、マイク４ｃ、立体像表示部４ｄおよびカメラ４ｄ以外については省略されている。「添い寝モード」とは、離れた場所にいる視聴者Ｕ同士が互いの存在を身近に感じるように、自己（視聴者Ｕ）に寄り添って横たわっているように相手方の立体映像（破線で示す像）を提示することである。自己および相手方の両方が「添い寝モード」を実現するためには、それぞれが立体像表示部４ｄおよびカメラ４ｅを備えていることが前提となる。ただし、この前提を満たす限り、相手方が使用する装置が本映像表示装置１である必要は必ずしもない。
【００２５】
図７の位置的関係から分かるように、立体像表示部４ｄによって表示される相手方の映像は、視聴者Ｕの横近傍に位置しており、視聴者Ｕから見て、この表示場所の延長線上にマイク４ｃおよびカメラ４eが配置されている。これにより、自己のみならず相手方においても、互いの存在が身近に感じられる実感的な添い寝を実現することができる。
【００２６】
この場合、立体映像部４ｄは、視聴者Ｕの横方向近傍、換言すれば、視聴者Ｕが横向きに横たわった場合、この視聴者Ｕの顔の正面近傍において、相手方の顔を少なくとも含む立体映像を表示する。また、マイク４ｃおよびカメラ４ｅは、横向きに横たわった視聴者Ｕと正対する位置に配置されている。カメラ４ｅは、視聴者Ｕの顔を少なくとも含む立体映像（この立体映像は双方向通信の相手方に自己が寄り添って横たわっているように感じさせるために用いられる。）を撮影する。
【００２７】
自己のカメラ４ｅによって撮像された自己の立体映像は、自己の入出力インターフェース４ｆによって相手方に送信される。この送信された立体映像は、相手方の入出力インターフェース４ｆによって受信され、相手方の立体像表示部４ｄを介して相手方に提示される。同様に、相手方のカメラ４ｅによって撮像された相手方の立体映像は、相手方の入出力インターフェース４ｆによって自己に送信される。この送信された立体映像は、自己の入出力インターフェース４ｆによって受信され、自己の立体像表示部４ｄを介して自己に提示される。一方、自己のマイク４ｃによって集音された自己の発声音は、自己の入出力インターフェース４ｆによって相手方に送信される。この送信された発声音は、相手方の入出力インターフェース４ｆによって受信され、相手方のスピーカ４ｂを介して相手方に提示される。同様に、相手方のマイク４ｃによって集音された相手方の発声音は、相手方の入出力インターフェース４ｆによって自己に送信される。この送信された発声音は、自己の入出力インターフェース４ｆによって受信され、自己のスピーカ４ｂを介して自己に提示される。なお、このような双方向通信は、有線通信および無線通信の別を問わず、携帯電話通信網やインタネット通信網を介して行ってもよい。また、スマートフォンのFaceTimeなどを利用することも可能である。
【００２８】
また、上記コミュニケーション時において、自己および相手方が同一のコンテンツを共有して視聴できるような同期機能を実装してもよい。このようなコンテンツとしては、映画、テレビ番組、Ｗｅｂコンテンツなどが挙げられる。コンテンツの共有形態としては、自己および相手方の入出力インターフェース４ｆが共通のサーバからそれぞれ受信する形態や、自己が再生中のコンテンツを複製して、相手方に送信する形態などが考えられる。
【００２９】
このように、本実施形態によれば、横たわった視聴者Ｕの頭部が遮蔽体３によって覆われており、外部からは視聴者Ｕの顔の表情を認識することができなくなる。したがって、視聴者Ｕは、自己の顔の表情が衆目を晒されることを気にすることなく、映像に集中できる。その結果、個人の占有空間が限られた状況でも、視聴者Ｕのプライバシーを確保できると共に、寝たままの状態で気兼ねなく、映像（その他、双方向コミュニケーションなど）に対する没入感を高めることができる。
【００３０】
また、本実施形態によれば、遮蔽体３の内部空間に視聴者Ｕの頭部を挿入するための出入口３ａを設けることで、視聴者Ｕは、遮蔽体３を持ち上げ得ることなく、簡単に頭部の出し入れを行うことができる。
【００３１】
また、本実施形態によれば、遮蔽体３に防音材３ｂを設けることで、遮蔽体３内の音声が外部に漏れ出すこと、あるいは、遮蔽体３外の騒音が内部に漏れ入ることを抑制でき、より良好な視聴環境を実現できる。
【００３２】
さらに、本実施形態によれば、映像表示装置１に立体像表示部４ｄおよびカメラ４ｅを実装することで、上述した双方向のコミュニケーションが実現できる。特に、上述した「添い寝モード」を実装すれば、コミュニケーションの相手方（親友や恋人など）が添い寝しているような感覚を視聴者Ｕに体感させることができる。このように、本実施形態に係る映像表示装置１は、病院や避難での個人空間、一人での映画鑑賞、遠距離の家族や友人とのコミュニケーションといった様々な用途で広く利用することができる。
【符号の説明】
【００３３】
１  映像表示装置
２  設置面
３  遮蔽体
３ａ  出入口
３ｂ  防音材
４  電子機器類
４ａ  映像表示部
４ｂ  スピーカ
４ｃ  マイク
４ｄ  立体像表示部
４ｅ  カメラ
４ｆ  通信部
【図１】
2019205146.tif 000003
【図２】
2019205146.tif 000004
【図３】
2019205146.tif 000005
【図４】
2019205146.tif 000006
【図５】
2019205146.tif 000007
【図６】
2019205146.tif 000008
【図７】
2019205146.tif 000009